(57)【要約】  【課題】  人の背丈より高所に設置しても、簡単に気泡管を見ることができるように改良した測量機と、既存の測量機に簡単に取り付けることができる気泡管位置確認用反射器を提供にする。  【解決手段】  水平を検出する円形気泡管（３０）を備えた測量機（２０）において、少なくとも一面が鏡面にされた鏡面プレート（５２）と、鏡面プレートの向きを調整可能に支持する鏡面プレート支持体（６０）とを有する気泡管位置確認用反射器（５０）を備え、鏡面プレート支持体は円形気泡管の上方で測量機の側面に接着される。  【選択図】  図１
2005055357.tif 000002
【特許請求の範囲】
【請求項１】
側面に取っ手を取付けた測量機において、
前記取っ手は、前記側面に結合された上側水平部及び下側水平部とを有しており、
前記下側水平部の上面に水平を検出する気泡管を取付け、前記上側水平部の下面に鏡面プレートを固定したことを特徴とする測量機。
【請求項２】
水平を検出する気泡管を備えた測量機において、
少なくとも一面が鏡面にされた鏡面プレートと、該鏡面プレートの向きを調整可能に支持する鏡面プレート支持体とを有する気泡管位置確認用反射器を備え、前記鏡面プレート支持体が前記気泡管の上方で前記測量機の側面に固定されたことを特徴とする測量機。
【請求項３】
少なくとも一面が鏡面にされた鏡面プレートと、前記鏡面プレートの向きを調整可能に支持する鏡面プレート支持体と、前記鏡面プレート支持体を測量機に接合する接合手段とを備えたことを特徴とする気泡管位置確認用反射器。
【請求項４】
前記鏡面プレートは、先端に球を形成した柄を有し、
前記鏡面プレート支持体は、前記球を回転自在に収容する球収容部と、前記鏡面プレートに対して所定以上の力が加わらない限り前記球の回転を阻止するように前記球に当接させた摩擦部材とを備えたことを特徴とする請求項３に記載の気泡管位置確認用反射器。
【発明の詳細な説明】
【技術分野】
【０００１】
本発明は、測量機の下方からでも気泡管を見ることができるようにした気泡管位置確認用反射器及びこの反射器を備える測量機に関する。
【背景技術】
【０００２】
従来、自動整準機能のない測量機には気泡管が取り付けられていて、作業者は気泡管を見ながら、測量機を手動で水平に設置（整準）していた。気泡管とは、ガラス管内の上部を球面又は円弧としたガラス管の内部に液体を封入し、ガラス管内部の気泡が中心に位置するとき、測量機が水平であることを知るものである。気泡管には、円形気泡管と棒状気泡管とがある。
【０００３】
ところで、レベルプレーナのような測量機は、人の背丈より高所に設置することもある。このように高所に測量機を設置すると、脚立等に登って円形気泡管を見ながら整準作業を行わなければならず不便である。
【０００４】
このような不便さを解消するために、図５に示したように、ミラー１４、１４’を用いて測量機の下方からでも円形気泡管１２を見えるようにしたものもある。すなわち、測量機の側面に凹部１１を設け、凹部１１の底面に円形気泡管１２を設置し、凹部１１の傾斜天井面１３、１３’に、側方から円形気泡管１２を見るミラー１４と、下方から円形気泡管１２を見るミラー１４’とを取り付けている。これで、円形気泡管１２を直接上方から見るだけでなく、測量機の高さによって、円形気泡管１２を側方又は下方からも見ることができるようにした。これにより、測量機を人の背丈より高所に設置しても、脚立等に登ることなく、整準作業を行うことができる（下記特許文献１参照）。
【特許文献１】特開平９−２１０６８７号公報
【発明の開示】
【発明が解決しようとする課題】
【０００５】
しかしながら、前記特許文献１に開示された測量機は、側面に凹部１１を形成して、この凹部の天井にミラー１４、１４’を固定したものであるから、このようなミラー１４、１４’を備えていない既存の測量機については、人の背丈より高所に設置したときは、依然として脚立等に登って整準作業をしなければならず、整準作業が簡単ではないという問題があった。
【０００６】
また、前記特許文献１に開示された測量機のミラー１４、１４は、向きが固定されているため、特定の方向からでないと、円形気泡管１２を見ることができないことも、整準作業を簡単ではなくしていた。
【０００７】
本発明は、前記問題に鑑みてなされたものであり、人の背丈より高所に設置しても、簡単に気泡管を見ることができるように改良した測量機と、既存の測量機に簡単に取り付けることができる気泡管位置確認用反射器を提供にすることを課題とする。
【課題を解決するための手段】
【０００８】
以上の課題を達成するために、請求項１に係る発明では、側面に取っ手を取付けた測量機において、前記取っ手は、前記側面に結合された上側水平部及び下側水平部とを有しており、前記下側水平部の上面に水平を検出する気泡管を取付け、前記上側水平部の下面に鏡面プレートを固定したことを特徴とする。
【０００９】
（作用）鏡面プレートは、既存の測量機の取っ手の上側水平部の下面に接着、粘着、ビス等の適宜手段により簡単に固定することができる。鏡面プレートを上側水平部の下面に固定すると、取っ手の下側水平部の上面に固定した気泡管は、鏡面プレートに映るから、測量機の下側からでも気泡管を見ることができる。
【００１０】
請求項２に係る発明では、水平を検出する気泡管を備えた測量機において、少なくとも一面が鏡面にされた鏡面プレートと、該鏡面プレートの向きを調整可能に支持する鏡面プレート支持体とを有する気泡管位置確認用反射器を備え、前記鏡面プレート支持体が前記気泡管の上方で前記測量機の側面に固定されたことを特徴とする。
【００１１】
（作用）気泡管位置確認用反射器は、測量機の気泡管の上方に固定されており、しかも鏡面プレートの向きを調整することができるので、測量機の下側の広い範囲からでも気泡管を見ることができる。
【００１２】
請求項３に係る発明では、気泡管位置確認用反射器が、少なくとも一面が鏡面にされた鏡面プレートと、前記鏡面プレートの向きを調整可能に支持する鏡面プレート支持体と、前記鏡面プレート支持体を測量機に接合する接合手段とを備えたことを特徴とする。
【００１３】
（作用）鏡面プレート支持体を接着、粘着、ビス、磁石等の適宜接合手段により測量機に接合することによって、既存の測量機に対して気泡管の上方に気泡管位置確認用反射器を簡単に固定することができる。これで、測量機の下側の広い範囲からでも気泡管を見ることができる。
【００１４】
請求項４に係る発明では、請求項３に係る発明において、前記鏡面プレートは、先端に球を形成した柄を有し、前記鏡面プレート支持体は、前記球を回転自在に収容する球収容部と、前記鏡面プレートに対して所定以上の力が加わらない限り前記球の回転を阻止するように前記球に当接させた摩擦部材とを備えたことを特徴とする。
【００１５】
（作用）鏡面プレートの柄の先端の球は、鏡面プレート支持体の球収容部に収容されていて回転可能であるが、摩擦部材が当接しているので、鏡面プレートに対して所定以上の力をかけたときのみに、鏡面プレートの向きを調整できる。
【発明の効果】
【００１６】
以上詳細に説明したように、請求項１に係る発明によれば、取っ手の下側水平部の上面に気泡管を取付け、取っ手の上側水平部の下面に鏡面プレートを固定したから、測量機を人の背丈より高所に設置しても、鏡面プレートに映った気泡管を見ることによって、測量機を整準させることができて便利である。
【００１７】
請求項２に係る発明によれば、鏡面プレートと鏡面プレートの向きを調整可能に支持する鏡面プレート支持体とを備えた気泡管位置確認用反射器を気泡管の上方で測量機の側面に固定したから、測量機を人の背丈より高所に設置しても、鏡面プレートに映った気泡管を見ることによって、測量機を整準させることができて便利である。しかも、作業者が気泡管を見易いように、鏡面プレートの向きを調整できるから、整準作業がいっそう容易となる。
【００１８】
請求項３に係る発明によれば、気泡管位置確認用反射器が、少なくとも一面が鏡面にされた鏡面プレートと、前記鏡面プレートの向きを調整可能に支持する鏡面プレート支持体と、前記鏡面プレート支持体を測量機に接合する接合手段とを備えたから、気泡管位置確認用反射器を既存の測量機の気泡管の上方に簡単に接合することができる。これで、既存の測量機でも、人の背丈より高所に設置しても、鏡面プレートに映った気泡管を見ることによって整準させることができて便利である。しかも、作業者が気泡管を見易いように、鏡面プレートの向きを調整できるから、整準作業がいっそう容易となる。
【００１９】
請求項４に係る発明によれば、さらに、鏡面プレートは、先端に球を形成した柄を有し、鏡面プレート支持体は、前記球を回転自在に収容する球収容部と、前記鏡面プレートに対して所定以上の力が加わらない限り前記球の回転を阻止するように前記球に当接させた摩擦部材とを備えたから、簡単な構成であり、鏡面プレートの向きを容易かつ自在に調整できる。
【発明を実施するための最良の形態】
【００２０】
以下、本発明の好ましい実施例につき、測量機のうちレベルプレーナを例に、添付図面を参照して詳細に説明する。図１は、本発明の第１実施例に係るレベルプレーナの斜視図である。図２は、前記レベルプレーナに固定される気泡管位置確認用反射器の斜視図である。図３は、図２のIII−III線に沿う断面図である。図４は、鏡面プレート支持体を構成する表板の裏面の形状を示す斜視図である。
【００２１】
図１に示したように、レベルプレーナ２０は、本体２２上部に回転するロータ２４を設け、ロータ２４の円周射出窓２６からレーザ光を出射して、水平出しに用いる測量機である。また、レベルプレーナ２０は、取り扱い易くするため、取っ手３２を備えている。取っ手３２は、本体２２の側面に結合するための上側水平部３２Ａと、同じく本体２２の側面に結合するための下側水平部３２Ｂとを備える。
【００２２】
取っ手３２の下側水平部３２Ｂの上面には、整準作業時に水平を検出するための円形気泡管３０が固定される。この円形気泡管３０の位置は、見易く、かつ、他の物品等との衝突を少なくすることができる。通常、作業員は、円形気泡管３０を上方から見ながら、底板３６と本体２２間の設けられた調整ねじ３８を操作してレベルプレーナ２０を整準させる。
【００２３】
レベルプレーナ２０を人の背丈より高所に設置したときには、本実施例の円形気泡管位置確認用反射器５０を利用して整準作業を行う。気泡管位置確認用反射器５０は、一面が鏡面にされた鏡面プレート５２と、この鏡面プレート５２を任意の向きに調整可能に支持している鏡面プレート支持体６０を備える。鏡面プレート支持体６０の裏面には、接合手段として接着剤が塗布されており、接着剤の上を剥離紙で被覆している。鏡面プレート支持体６０は、裏面の剥離紙を剥がすと、円形気泡管３０の上方で本体２２側面の適宜箇所に接着することができる。
【００２４】
図２−図４に基づいて、気泡管位置確認用反射器５０について詳細に説明する。
【００２５】
鏡面プレート５２は、略長方形をしており、片側一面が鏡面にされており、長手方向の中央から柄５４が突出している。柄５４の先端は球５６に成形されている。
【００２６】
鏡面プレート支持体６０は、重ね合わされた表板６２と裏板６４からなる。表板６２の裏面には、錐面又は球面の球受け部６６が設けられ、球受け部６６の中心から下側辺６８に達するスリット７０が設けられる。裏板６４の表面には、表板６２に設けられた球受け部６６に対向させて円孔７２が設けられる。重ね合わせた両板６２、６４の間には、球受け部６６と円孔７２とからなる球収容部７４が形成される。
【００２７】
裏板６４の円孔７２内にバネ７６と摩擦部材である軸受けブッシュ７８を収容し、鏡面プレート５２の柄５４を表板６２のスリット７０を挿通させ、柄５４の先端の球５６を両板６２、６４の間に形成した球収容部７４に収容して、ビスを表板６２のビス挿通孔８０を挿通させ、裏板６４のねじ孔８２に螺合して、両板６２、６４を接合する。これで、鏡面プレート支持体６０に対して、鏡面プレート５２の柄５４は、軸回りＸに回転自在で、鉛直方向Ｚに傾動可能に連結される。柄５４は、鉛直方向Ｚについては真下から９０°をいくらか超えるまでの傾動範囲を持つようにする。ただし、柄５４の水平方向の傾動範囲は、左右方向へわずかな範囲となる。
【００２８】
球５６は、円孔７２内に収容されたバネ７６の先端に固定された軸受けブッシュ７８に当接するので、鏡面プレート５２に所定以上の力を加えられない限り、摩擦係数の大きな軸受けブッシュ７８との摩擦力のために回転しないようになっているが、鏡面プレート５２に所定以上の力を加えられると回転する。
【００２９】
したがって、作業者が鏡面プレート５２の柄５４を軸回りＸに回転又は鉛直方向Ｚに傾動させることにより、鏡面プレート５２を適切な向きに調整でき、しかも、その向きを安定に保持できる。整準作業を行わないときは、鏡面プレート５２を水平にしてから下方へ押し下げると、柄５４がスリット７０内に収容され、鏡面プレート５２は、鏡面プレート支持体６０の下側で、レベルプレーナ２０の側面に接する状態になる。これで、取っ手３２を持つとき、気泡管位置確認用反射器５０がじゃまにならなくなる。
【００３０】
本実施例の測量機によれば、作業員は、レベルプレーナ２０を背丈より高い位置に設置しても目線くらいの位置に設置しても、鏡面プレート５２の向きを調整することにより、鏡面プレート５２に映った円形気泡管３０を見て、整準作業を簡単に行うことができる。また、気泡管位置確認用反射器５０は、既存の測量機に対して、なんの改造も施すことなく、接着により簡単に取り付けられるので、経済的である。
【００３１】
ところで、本発明は、前記実施例に限定されるものではなく、種々の変形が可能である。たとえば、鏡面プレート５２は、長方形に限るものではなく、円形、楕円形、正方形等の適宜形状でよい。また、鏡面プレート５２を鏡面プレート支持体６０を介さずに直接を取っ手３２の上側水平部３２Ａの下面に接着してもよい。もちろん、鏡面プレート支持体６０又は鏡面プレート５２を測量機に固定する接合手段として、接着以外にも、粘着、ビス、磁石、マジックテープ（登録商標）等の適宜接合手段を用いることが可能である。
【図面の簡単な説明】
【００３２】
【図１】本発明の一実施例に係る測量機の斜視図である
【図２】前記測量機に固定される気泡管位置確認用反射器の斜視図である。
【図３】図２におけるIII−III線に沿う縦断面図である。
【図４】鏡面プレート支持体を構成する表板の裏面の内面を示す斜視図である。
【図５】従来の測量機の斜視図である。
【符号の説明】
【００３３】
２０      レベルプレーナ（測量機）
３０      円形気泡管
５０      気泡管位置確認用反射器
５２      鏡面プレート
５４      柄
５６      球
６０      鏡面プレート支持体
７４      球収容部
７８      軸受けブッシュ（摩擦部材）
【図１】
2005055357.tif 000003
【図２】
2005055357.tif 000004
【図３】
2005055357.tif 000005
【図４】
2005055357.tif 000006
【図５】
2005055357.tif 000007